(57)【要約】      （修正有）【課題】生ゴミを効率よく、かつ、充分に減容し得るようにした生ゴミ処理機を提供する。【解決手段】略Ｕ字状の断面を有する処理槽３の上面には生ゴミ投入口５を備えさせ、処理槽内には駆動手段９により回転する中空軸１１を横架する。中空軸に、中空軸内に熱風を送入する熱風送入手段１９と、熱風を処理槽内に送出する熱風吐出穴２１を備え、中空軸と共に回転する複数の攪拌翼２３を取り付ける。各攪拌翼の先端には切断刃２５を備えさせ、該処理槽の内側面には各攪拌翼の切断刃に対応する刃受板を配設し、該処理槽の外側にヒータを配設する。【選択図】図１
0003154288.tif 000002
【実用新案登録請求の範囲】
【請求項１】
略Ｕ字状の断面を有する処理槽の上面には生ゴミ投入口を備えさせ、該処理槽内には駆動手段により回転する中空軸を横架し、該中空軸には該中空軸内に熱風を送入する熱風送入手段を取り付け、該中空軸には熱風を処理槽内に送出する熱風吐出穴を備えさせ、該中空軸には該中空軸と共に回転する複数の攪拌翼を取り付け、各攪拌翼の先端には切断刃を備えさせ、該処理槽の内側面には各攪拌翼の切断刃に対応する刃受板を配設し、該処理槽の外側にヒータを配設したことを特徴とする生ゴミ処理機。
【請求項２】
前記各攪拌翼は、前記切断刃として、該攪拌翼の回転方向に関する前側と後側とにそれぞれ前側切断刃と後側切断刃とを備え、該後側切断刃は該前側切断刃よりも該処理槽の内側面方向に突出していることを特徴とする請求項１に記載の生ゴミ処理機。
【請求項３】
前記後側切断刃は、ギザギザ状の切断縁を備えていることを特徴とする請求項２に記載の生ゴミ処理機。
【考案の詳細な説明】
【技術分野】
【０００１】
本考案は、生ゴミ処理機に関するものであり、更に詳しくは、一般家庭、学校、飲食店、工場等から生ずる生ゴミを破砕し、乾燥し、減容するようにした生ゴミ処理機に係るものである。
【背景技術】
【０００２】
生ゴミ処理機としては、例えば特開２００５−３２９３７２号公報に示すように、処理槽内の生ゴミを攪拌翼により攪拌するようにしたもの（以下「従来の生ゴミ処理機」という。）が既に知られている。
【先行技術文献】
【特許文献】
【０００３】
【特許文献１】特開２００５−３２９３７２号公報
【考案の概要】
【考案が解決しようとする課題】
【０００４】
上記従来の生ゴミ処理機は、生ゴミを必ずしも効率よく、かつ、充分に減容し得るものではなかった。
【０００５】
本考案は、生ゴミを効率よく、かつ、充分に減容し得るようにした生ゴミ処理機を提供しようとしてなされたものである。  
【課題を解決するための手段】
【０００６】
上記課題を解決するために、本考案は下記の生ゴミ処理機を提供するものである。
【０００７】
（１）略Ｕ字状の断面を有する処理槽の上面には生ゴミ投入口を備えさせ、該処理槽内には駆動手段により回転する中空軸を横架し、該中空軸には該中空軸内に熱風を送入する熱風送入手段を取り付け、該中空軸には熱風を処理槽内に送出する熱風吐出穴を備えさせ、該中空軸には該中空軸と共に回転する複数の攪拌翼を取り付け、各攪拌翼の先端には切断刃を備えさせ、該処理槽の内側面には各攪拌翼の切断刃に対応する刃受板を配設し、該処理槽の外側にヒータを配設したことを特徴とする生ゴミ処理機（請求項１）。
【０００８】
（２）前記各攪拌翼は、前記切断刃として、該攪拌翼の回転方向に関する前側と後側とにそれぞれ前側切断刃と後側切断刃とを備え、該後側切断刃は該前側切断刃よりも該処理槽の内側面方向に突出している（請求項２）。
【０００９】
（３）前記後側切断刃は、ギザギザ状の切断縁を備えている（請求項３）。
【考案の効果】
【００１０】
［請求項１の考案］
生ゴミ投入口から処理槽内に投入された生ゴミは、攪拌翼先端の切断刃と該処理槽の内側面に配設された刃受板との間に挟まれて切断され、該攪拌翼により攪拌されると共に、中空軸の熱風吐出穴から該処理槽内に送出される熱風と該処理槽の外側に配設されたヒータとにより加熱される。したがって、生ゴミは、効率よく、かつ、充分に減容される。
【００１１】
［請求項２の考案］
後側切断刃は前側切断刃よりも処理槽の内側面方向に突出しているため、後側切断刃は前側切断刃よりも処理槽の内側面の刃受板に近い位置を通過する（図４参照）。換言すれば、生ゴミは、前側切断刃により大きく切断された後、後側切断刃により小さく切断される。したがって、生ゴミは効率よく細かく切断される。
【００１２】
［請求項３の考案］
後側切断刃はギザギザ状の切断縁を備えているため、生ゴミは一層効率よく細かく切断される。図５参照。
【図面の簡単な説明】
【００１３】
【図１】図１は本考案による生ゴミ処理機の一例を示す断面図である。
【図２】図２は同上生ゴミ処理機の別の断面図である。
【図３】図３は中空軸の断面図である。
【図４】図４は切断刃と刃受板とを示す側面図である。
【図５】図５は切断刃を示す斜視図である。
【考案を実施するための形態】
【００１４】
生ゴミ処理機の外側ケーシング１内に処理槽３を配設する。
【００１５】
処理槽３は、略Ｕ字状の断面を有する。すなわち、処理槽３の底部３ａは断面略円弧状をなしている。図２参照。
【００１６】
処理槽３の上面には生ゴミ投入口５を備えさせる。生ゴミ投入口５は蓋７を備えている。蓋７は生ゴミ投入口５に対し開閉自在である。蓋７は、一例としてエアシリンダ（図示せず。）により開閉させるようにしてもよいが、手作業により開閉してもよい。
【００１７】
処理槽３内には駆動手段９により回転する中空軸１１を横架する。
【００１８】
図示の事例における駆動手段９は電気モータ１３であり、該電気モータ１３の回転はベルト１５と減速機１７とを介して中空軸１１に伝えられる。
【００１９】
中空軸１１には該中空軸１１内に熱風を送入する熱風送入手段１９を取り付ける。熱風送入手段１９は、一例として、加熱した空気を送風管を介して中空軸１１内に圧送する送風ファン（図示せず。）とする。
【００２０】
中空軸１１には熱風を処理槽３内に送出する多数の熱風吐出穴２１を備えさせる。すなわち、熱風送入手段１９により中空軸１１内に圧送された熱風は、多数の熱風吐出穴２１より処理槽３内に送出される。
【００２１】
中空軸１１には該中空軸１１と共に回転する複数の攪拌翼２３を取り付ける。
【００２２】
各攪拌翼２３の先端には切断刃２５を備えさせる。
【００２３】
処理槽３の内側面２７には各攪拌翼２３の切断刃２５に対応する刃受板２９を配設する。図４に示すように、生ゴミ３１は、回転する切断刃２５と処理槽３の内側面２７に固定された刃受板２９との間に挟まれて切断される。
【００２４】
処理槽３の外側にヒータ３３を配設する。ヒータ３３は、一例として電気ヒータとする。
【００２５】
図示の事例においては、各攪拌翼２３は、前記切断刃２５として、該攪拌翼２３の回転方向に関する前側と後側とにそれぞれ前側切断刃２５’と後側切断刃２５’’とを備え、該後側切断刃２５’’は該前側切断刃２５’よりも処理槽３の内側面２７方向に突出している。
【００２６】
後側切断刃２５’’は、好ましくは、ギザギザ状の切断縁２５’’ａを備えている。すなわち、後側切断刃２５’’の切断縁２５’’ａは、好ましくは、鋸刃状をなす。
【００２７】
本考案の生ゴミ処理機により破砕、乾燥、減容された生ゴミは、例えば堆肥化される。
【符号の説明】
【００２８】
１  外側ケーシング
３  処理槽
３ａ  底部
５  生ゴミ投入口
７  蓋
９  駆動手段
１１  中空軸
１３  電気モータ
１５  ベルト
１７  減速機
１９  熱風送入手段
２１  熱風吐出穴
２３  攪拌翼
２５  切断刃
２５’  前側切断刃
２５’’ 後側切断刃
２５’’ａ  切断縁
２７  内側面
２９  刃受板
３１  生ゴミ
３３  ヒータ
【図１】
0003154288.tif 000003
【図２】
0003154288.tif 000004
【図３】
0003154288.tif 000005
【図４】
0003154288.tif 000006
【図５】
0003154288.tif 000007